(57)【要約】【課題】外蓋部内の乾燥を瞬時にして内部に付着した水滴を除去するとともにガス抜きを瞬時に行なうことのできる容器用のキャップ装置を提供すること。【解決手段】キャップ装置１は、容器３に連接する口元部１０と、口元部１０に螺合可能な外蓋部２０とを備えている。口元部１０の側壁部１３は、螺旋状の突条部１３１と、突条部１３１を分断するように軸方向に形成する複数の第１スリット１３２を有している。第１スリット１３２の下端は座部１２付近まで達している。一方、外蓋部２０の側壁部２２は、口元部１３の突条部１３１に螺合する螺旋状の突条部２２１と、側壁部２２の軸方向に沿って形成する第２スリット２２２とを有している。第２スリット２２２は、側壁部２２の内外を貫通するように形成し外気を導入可能としている。【選択図】図６
2007030976.tif 000002
【特許請求の範囲】
【請求項１】
容器側に形成された円環状の側壁部を有する口元部と、底壁部と側壁部とを有して前記口元部に外装可能な外蓋部と、を備え、前記口元部と前記外蓋部とがお互いの側壁部に螺旋状の突条部を有して係合可能に形成される容器用キャップ装置であって、
前記口元部と前記外蓋部とは、前記外蓋部が前記口元部に係合する際に、シール手段を形成するとともに、前記口元部の側壁外周面には、前記口元部の突条部を前記口元部の軸方向に沿って分断する複数のスリットが形成され、
前記スリットが、外部と通気可能に形成されることによって、ガス抜き手段又は水滴乾燥手段を構成することを特徴とする容器用キャップ装置。
【請求項２】
前記シール手段が、前記口元部の先端周縁部と、前記外蓋部の前記側壁部内における前記外蓋部の底壁部から立ち上って形成される円環状の内壁部と、が圧接することによって形成されることを特徴とする請求項１記載の容器用キャップ装置。
【請求項３】
前記スリットは、周方向における中心線を通る仮想分割線に対して左右対称位置に複数形成され、前記スリットは、前記仮想分割線に対して分割されるそれぞれの側において平面視同一方向に向かって形成されていることを特徴とする請求項１又は２記載の容器用キャップ装置。
【請求項４】
前記スリットは、前記外蓋部が前記口元部に係合する際、前記スリットの下端面が外気と連通可能に形成されていることを特徴とする請求項１，２又は３のいずれかに記載の容器用キャップ装置。
【請求項５】
容器側に形成された円環状の側壁部を有する口元部と、底壁部と側壁部とを有して前記口元部に外装可能な外蓋部と、を備え、前記口元部と前記外蓋部とがお互いの側壁部に螺旋状の突条部を有して係合可能に形成される容器用キャップ装置であって、
前記口元部と前記外蓋部とは、前記外蓋部が前記口元部に係合する際に、シール手段を形成するとともに、前記外蓋部の側壁内周面には、前記外蓋部の突条部を前記外蓋部の軸方向に沿って分断する複数のスリットが形成され、
前記スリットが、外部と通気可能に形成されることによって、ガス抜き手段又は水滴乾燥手段を構成することを特徴とする容器用キャップ装置。
【請求項６】
前記シール手段が、前記口元部の先端周縁部と、前記外蓋部の前記側壁部内における前記外蓋部の底壁部から立ち上って形成される円環状の内壁部と、が圧接することによって形成されることを特徴とする請求項５記載の容器用キャップ装置。
【請求項７】
前記スリットが、前記外蓋部の側壁部を内外方向に貫通して形成されていることを特徴とする請求項５又は６記載の容器用キャップ装置。
【発明の詳細な説明】
【技術分野】
【０００１】
本発明は、薬用液が充填された医療用容器、栄養剤が充填された容器や点滴容器、又は醤油、油、酒、乳類が充填された容器や飲料用液体が充填されたペットボトル等の合成樹脂製で形成された容器用キャップ装置に関する。
【背景技術】
【０００２】
一般に、合成樹脂製で形成された容器用キャップ装置は、内容物を充填する容器と、容器を閉塞するキャップ装置とを有して構成されている。キャップ装置は、容器に内容物を充填した後、殺菌や洗浄あるいは乾燥等の処理を行なうこととなっている。つまり、内容物を容器に充填した後、キャップ装置に内容物の付着による黴の発生を防止するために熱水を散布して殺菌・洗浄を行う。そのため、キャップ装置の内部に付着した水滴を除去するために、キャップ装置の内部を乾燥させる必要が生じることとなる。また、内容物が炭酸飲料水の場合、閉栓しているキャップ装置を開栓する際、炭酸ガスが排気されるとともに、炭酸ガスにより内容物に泡たちが発生して外部に漏れてしまうことも多くある。そのため、炭酸ガスを瞬時に排気して内容物の漏れをなくすことのできるキャップ装置が望まれていた。
【０００３】
従来においては、ガス抜きを考慮したキャップ装置の発明が、特許文献１によって開示されている。また、加熱殺菌した後に乾燥させるキャップ装置の発明が特許文献２によって開示されている。
【０００４】
特許文献１では、図９に示すように、容器に連接された口元部３１と口元部３１に係合可能なキャップ３２とからなるキャップ装置３０において、キャップ３２の内周面には、軸方向に沿って複数の溝３３が形成されている。この溝３３は、キャップ３２内周面に形成された螺旋突条３４を分断するとともにキャップ３２の内周面の厚み方向に削り込んで形成されている。そして、キャップ３２を口元部３１に係合させると、この溝３３が外部への通気路として形成することができ、ガス抜きを行うことができる。
【０００５】
特許文献２では、図１０に示すように、キャップ装置４０は、内容物を取出すための弁機構４１１と、容器口部４２と締結可能な締結機構４１２を備えるキャップ本体４１と、キャップ本体４１と別体で形成されて弁機構４１１に対して着脱自在に配置される外蓋４５と、を有して構成されている。キャップ本体４１は、外蓋４５を係合した状態で外蓋４５の下方端縁部４５１が当接するリング状頂板部４１３に、外蓋４５の下方端縁部４５１よりも下方に延設する複数の切り欠き部４３がキャップ本体４１の径方向に沿って形成されている。この切り欠き部４３によって、水や熱水散布に伴う外蓋４５の水滴の残留や汗かき現象を有効に防止することができる。
【特許文献１】特開昭６３−１６２４６５号公報（４〜６頁、図２〜３参照）
【特許文献２】特開２０００−２０３６１４公報（５〜１１頁、図１〜２参照）
【発明の開示】
【発明が解決しようとする課題】
【０００６】
しかし、容器内のガス抜きをする場合、ガスを抜くための通気路（以下、ガス抜き通気路という）を形成する場合があり、特許文献１の発明では、溝３３がガス抜き通気路として複数形成されている。この溝３３は、キャップ３２の環状側壁３２１に形成された螺旋突条３４を分断するとともに環状側壁３２１に溝状に形成されている。しかし、螺旋突条３４を分断するように螺旋突条３４上に形成する溝３４１は、環状側壁３２１に形成する溝深さと略同一の深さであることから、溝深さは僅かであり、ガスの抜ける速度は瞬時とはいえない。そのため、容器内のガスを抜くには、所定の時間がかかることとなり、その間において、炭酸飲料水の場合では飲料水の外部への漏れに繋がってしまうこととなっていた。
【０００７】
また、キャップ３２に熱水をかけて殺菌・洗浄する場合には、口元部３１の外周面に水滴が付着することから、キャップ３２内を瞬時に乾燥させて、水滴を除去することが必要であり、特許文献１では、溝３３から導入される外気は、溝３３の深さが浅いことから、キャップ３２内を乾燥させるには時間がかかり、水滴を瞬時に除去することはできなかった。
【０００８】
特許文献２においては、ガス通気路としての切り欠き部４３が複数配設されているものの、外蓋４５の下方端縁４５１が、切り欠き部４３を狭くしていることから、切り欠き部４３を通ってガス抜きしたり、また切り欠き部４３を通って外気を内部に導入して外蓋内を乾燥させたりするには、時間がかかりすぎていた。
【課題を解決するための手段】
【０００９】
本発明は、上述の課題を解決するものであり、容器内のガス抜きを瞬時に行うとともに、キャップ内に付着した水滴を除去するためにキャップ内の乾燥時間を瞬時に行うことのできるキャップ装置を提供することを目的とする。そのために本発明に係る容器用キャップ装置は、以下のように構成するものである。すなわち、
請求項１記載の発明では、容器側に形成された円環状の側壁部を有する口元部と、底壁部と側壁部とを有して前記口元部に外装可能な外蓋部と、を備え、前記口元部と前記外蓋部とがお互いの側壁部に螺旋状の突条部を有して係合可能に形成される容器用キャップ装置であって、
前記口元部と前記外蓋部とは、前記外蓋部が前記口元部に係合する際に、シール手段を形成するとともに、前記口元部の側壁外周面には、前記口元部の突条部を前記口元部の軸方向に沿って分断する複数のスリットが形成され、
前記スリットが、外部と通気可能に形成されることによって、ガス抜き手段又は水滴乾燥手段を構成することを特徴とするものである。
【００１０】
請求項２記載の発明では、前記シール手段が、前記口元部の先端周縁部と、前記外蓋部の前記側壁部内における前記外蓋部の底壁部から立ち上って形成される円環状の内壁部と、が圧接することによって形成されることを特徴としている。
【００１１】
請求項３記載の発明では、前記スリットは、周方向における中心線を通る仮想分割線に対して左右対称位置に複数形成され、前記スリットは、前記仮想分割線に対して分割されるそれぞれの側において平面視同一方向に向かって形成されていることを特徴としている。
【００１２】
請求項４記載の発明では、前記スリットは、前記外蓋部が前記口元部に係合する際、前記スリットの下端面が外気と連通可能に形成されていることを特徴としている。
【００１３】
請求項５記載の発明では、容器側に形成された円環状の側壁部を有する口元部と、底壁部と側壁部とを有して前記口元部に外装可能な外蓋部と、を備え、前記口元部と前記外蓋部とがお互いの側壁部に螺旋状の突条部を有して係合可能に形成される容器用キャップ装置であって、
前記口元部と前記外蓋部とは、前記外蓋部が前記口元部に係合する際に、シール手段を形成するとともに、前記外蓋部の側壁内周面には、前記外蓋部の突条部を前記外蓋部の軸方向に沿って分断する複数のスリットが形成され、
前記スリットが、外部と通気可能に形成されることによって、ガス抜き手段又は水滴乾燥手段を構成することを特徴とするものである。
【００１４】
請求項６記載の発明では、前記シール手段が、前記口元部の先端周縁部と、前記外蓋部の前記側壁部内における前記外蓋部の底壁部から立ち上って形成される円環状の内壁部と、が圧接することによって形成されることを特徴としている。
【００１５】
請求項７記載の発明では、前記スリットが、前記外蓋部の側壁部を内外方向に貫通して形成されていることを特徴としている。
【発明の効果】
【００１６】
請求項１記載の発明によれば、まず、外蓋部を口元部に挿入しない開栓状態で容器に内容物を充填した後、外蓋部を螺旋状の突条部に沿って回転しながら口元部に挿入して閉栓する。この際、口元部の突条部と外蓋部の突条部とがお互いに接触しながら係合するとともに、口元部と外蓋部とはシール手段でシールされる。そして、外蓋部を口元部に閉栓した状態で外蓋部の周りに熱水を掛けて殺菌・洗浄する。
【００１７】
熱水は、外蓋部の内部において、口元部の側壁部の外周面に水滴となって付着するが、口元部の側壁部に形成したスリットを通って、口元部と外蓋部の間に外気が導入される。この外気が口元部の周りを乾燥させることとなって、水滴は瞬時に除去される。
【００１８】
また、閉栓状態のキャップ装置から外蓋部をわずかに緩める方向に回すと、外蓋部と口元部との圧接状態が解除されることから、容器内の炭酸ガスは、瞬時にスリットを通って外部に排気される。
【００１９】
請求項２記載の発明によれば、外蓋部を口元部に係合して閉栓する際、口元部の突条部と外蓋部の突条部とがお互いに接触しながら係合するとともに、口元部の上端が外蓋部の側壁部と内壁部との間に挿入して内壁部との間で圧接状態となってシール手段が形成される。従って、本発明では、キャップを容器に組付けることによってシール手段を形成できるから、新たにシール部材を装着する必要がなくコストを低減することができる。
【００２０】
請求項３記載の発明によれば、請求項１記載の口元部の成形時、口元部は、軸方向に対して２分割された２枚型を接近・離隔する方向に移動させることによって形成される。つまり、口元部に形成されるスリットは、円周方向に対して仮想分割線を中心にして左右対称にそれぞれ複数形成されることとなるが、２分割された２枚型をそれぞれ仮想分割線に対して接近・離隔する方向に移動することによって、各スリットの溝深さが仮想分割線に対して直交する方向に形成される。
【００２１】
これによって、口元部の成形時に、型を軸方向に抜く無理抜きを行う必要がないことから、螺旋状の突条部の高さを制限することがなく、口元部と外蓋部との締め付けをきつく行うことができる。
【００２２】
請求項４記載の発明によれば、口元部の側壁外周面に形成されたスリットは、外気と連通可能に形成されていることから、閉栓状態においてスリットに付着した水滴は、外気によって乾燥させることができ、又、外蓋部を僅かに開栓すると、容器内の内容物が炭酸飲料水の場合には、瞬時にガス抜けができる。
【００２３】
請求項５記載の発明によれば、外蓋部を口元部に挿入しない開栓状態で容器に内容物を充填した後、外蓋部を螺旋状の突条部に沿って回転しながら口元部に挿入して閉栓する。この際、口元部の突条部と外蓋部の突条部とがお互いに接触しながら係合するとともに、口元部と外蓋部とはシール手段でシールされる。そして、外蓋部を口元部に閉栓した状態で外蓋部の周りに熱水を掛けて殺菌・洗浄する。
【００２４】
熱水は、外蓋部の側壁部の外周面に水滴となって付着しようとするが、外蓋部の側壁部に形成したスリットを通って、口元部と外蓋部の間に外気が導入される。この外気が外蓋部の内周面の周りを乾燥させることとなって、水滴は瞬時に除去される。
【００２５】
また、閉栓状態のキャップ装置から外蓋部をわずかに緩める方向に回すと、外蓋部と口元部との圧接状態が解除されることから、容器内の炭酸ガスは、瞬時にスリットを通って外部に排気される。
【００２６】
請求項６記載の発明によれば、請求項２と同様、外蓋部を口元部に係合して閉栓する際、口元部の突条部と外蓋部の突条部とがお互いに接触しながら係合するとともに、口元部の上端が外蓋部の側壁部と内壁部との間に挿入して内壁部との間で圧接状態となってシール手段が形成される。従って、本発明では、キャップを容器に組付けることによってシール手段を形成できるから、新たにシール部材を装着する必要がなくコストを低減することができる。
【００２７】
請求項７記載の発明によれば、外蓋部に形成されたスリットは、外蓋部の側壁部を内外方向に貫通して形成されていることから、常に外気と接触していることとなって、閉栓状態においてスリットに付着した水滴は、瞬時に乾燥させることができる。
【００２８】
また、スリットが外蓋部の側壁部を貫通して形成されていることによって、放電リーク試験にも有利に働くことができる。つまり、容器内に充填された内容物（例えば、液体）が外部に漏れるかどうかの試験を行う場合、通常、５〜１０ｍｍ以内の範囲で１５ＫＶの電圧を掛けて液体の有無を検出することになるが、スリットが外蓋部の側壁部を貫通していることによって、試験機をスリットに向けて配置すれば、容易にしかも正確に放電リーク試験を行うことができる。
【発明を実施するための最良の形態】
【００２９】
次に、本発明の容器用キャップ装置の一形態を図面に基づいて説明する。以下に説明する実施形態は、これに限定するものではない。
【００３０】
実施形態の容器用キャップ装置（以下、キャップ装置という。）は、薬用液が充填された医療用容器、栄養剤が充填された容器や点滴容器、又は醤油、油、酒、乳類が充填された容器や飲料用液体が充填されたペットボトル等の合成樹脂製で形成された容器用キャップ装置に好適に使用できるものである。以下の説明にあたっては、炭酸飲料水が充填されたキャップ装置で説明するものである。
【００３１】
キャップ装置１の一形態は、容器側に連接する口元部１０（図１〜２に示す）と、口元部１０に外装して装着する外蓋部２０（図３〜５に示す）と、で構成されている。口元部１０に外蓋部２０を締め付けた状態を、図６に示している。
【００３２】
一形態の口元部１０は、硬質製の合成樹脂材、例えば、ポリプロピレンで形成され、容器３に連接する接続部１１と接続部１１の上方に連接する円環状の側壁部１３とを有している。接続部１１と側壁部１３とは、テーパ状の座部１２を間にして連接されている。
【００３３】
側壁部１３には、外周面に螺旋状の突条部１３１が形成されている。そして、側壁部１３の円周方向の一部の位置において、突条部１３１を分断するように凹状溝（以下、第１スリットという）１３２が側壁部１３の軸方向に沿って長尺に形成されている。第１スリット１３２は、側壁部１３の中心軸を通る仮想分割線Ｌに対して左右対称位置に複数本（図例では３本）形成されるとともに、第１スリット１３２の一端は突条部１３１を越えて側壁部１３の先端部付近まで達し、他端は突条部１３１を越えて座部１２付近まで達している。
【００３４】
それぞれの第１スリット１３２は、仮想分割線Ｌに対して直交する方向に溝深さが形成されている。つまり、口元部１０の成形時、２分割された２枚型を合わせている状態から離隔して型抜きを行うことによって、各第１スリット１３２の溝深さが仮想分割線Ｌに対して直交する方向に形成される。
【００３５】
これによって、口元部１０の成形時に、型を軸方向に抜く無理抜きを行う必要がないことから、螺旋状の突条部１３１の高さを制限することがなく、口元部１０と外蓋部２０との締め付けをきつく行うことができる。また第１スリット１３２の溝深さを制限することがないことから、第１スリット１３２を通る炭酸ガスや外気を多量に通すことができ容器３内のガス抜きを瞬時に行えるとともに、外蓋部２０の内部を乾燥させることができ、そのために口元部１０の外周面に付着した水滴を瞬時に除去させることができる。
【００３６】
外蓋部２０は、口元部１３１と同様の硬質製の合成樹脂材、例えばポリプロピレンで形成され、その一形態は、図３〜５に示すように、底壁部２１と、底壁部２１の外周端縁から突出する円環状の側壁部２２と、側壁部２２の内方で底壁部２１から立ち上がって形成する内壁部２３と、を備えて構成されている。側壁部２２と内壁部２３との間に形成される隙間２４に、口元部１０の側壁部１３の先端部が挿入される。
【００３７】
側壁部２２の内周面には螺旋状の突条部２２１が形成され、口元部１０の側壁部１３に形成された突条部１３１に螺合可能に形成されている。そして、側壁部２２には、円周方向に等間隔の位置において凹状溝（以下、第２スリットという）２２２が軸方向に沿って長尺に形成されている。第２スリット２２２は、突条部２２１の両端を越えて形成するとともに、側壁部２２の内部と外部とを貫通するように形成されている。そのため、外蓋部２０を外部から見ると第２スリット２２２内に螺旋状の突条部２２１の一部底面が見えることとなる。
【００３８】
次に、上記のように形成された外蓋部２０を口元部１０に装着して閉栓する状態を説明する。外蓋部２０の突条部２２１を口元部１０の突条部１３１に係合させて回転すると、図６に示すように、口元部１０の側壁部１３の先端部が、外蓋部２０における側壁部２２と内壁部２３との間の隙間２４内に挿入される。
【００３９】
外蓋部２０を口元部１０に対して最終位置まで回転すると、口元部１０における側壁部１３の先端部と外蓋部２０の内壁部２３とは、圧接するように係合することから、その間でシール構造を形成することとなる。従って、内容物が口元部１０から容器３内に充填された場合でも、外蓋部２０で閉栓することによって内容物が口元部１０から外部に漏れることがない。
【００４０】
また外蓋部２０を口元部１０に締め込んだ状態（閉栓状態）で、図６における、外蓋部２０の側壁部２２の下端面２２３は、口元部１０におけるテーパ状の座部１２との間に隙間を有している。口元部１０の側壁部１３に形成された第１スリット１３２の下端は、座部１２付近まで達していることから第１スリット１３２は外気と通じることとなる。
【００４１】
次に、口元部１０に外蓋部２０を装着したキャップ装置１の殺菌・洗浄・乾燥作用について説明する。
【００４２】
まず、口元部１０を装着した容器３に内容物（炭酸飲料水）を充填した後、外蓋部２０を口元部１０に締め込んで閉栓する。この状態で、キャップ装置１に熱水を掛けて殺菌・洗浄を行う。熱水は外蓋部２０の外周面に掛かるとともに、外蓋部２０の内部に浸入して、つまり口元部１０の側壁部１３外周面にも付着することとなる。
【００４３】
一方、外蓋部２０に形成された第２スリット２２２は、側壁部２２の内外を貫通して形成されていることから通気性がよく、外気が外蓋部２０の側壁部２２内に常に導入されている。また、口元部１０に形成された第１スリット１３２は、その下端が口元部１０の座部１２付近まで形成されていることから、外気は外蓋部２２の下端面２２３と口元部１０の座部１２との間から第１スリット１３２を通って外蓋部２０の内部に導入されている。
【００４４】
口元部１０の側壁部１３外周面に付着した水滴は、外蓋部２０の側壁部２２に形成された第２スリット２２２から導入された外気、又は、口元部１０に形成された第１スリット１３２の下端部から導入された外気により、外蓋部２０の内部が乾燥されることとなって瞬時に除去される。
【００４５】
次に、外蓋部２０を開栓して容器３に充填された内容物、特に炭酸飲料水のガス抜きをする場合、密封されている容器３は、炭酸ガスが発生して内圧がかかっている。口元部１０に対して外蓋部２０を開栓方向にわずかに回転すると、口元部１０の先端と外蓋部２０の内壁部２３との圧接状態が解除されて、容器３内の炭酸ガスが、口元部１０の先端部から、口元部１０の側壁部１３と外蓋部２０の側壁部１３との間の隙間に移動される。この隙間に移動された炭酸ガスは、一方で外蓋部２０の第２スリット２２２から外部に瞬時に排気されるか、また、他方で口元部１０の第１スリット１３２の下端から外蓋部２０の下端面２２３と座部１２との間を通って外部に排気される。これによって容器３内のガスは、外蓋部２０の開栓によって瞬時にガス抜きされる。
【００４６】
なお、上記の形態は、第１スリット１３２を有する口元部１０と、第２スリット２２２を有する外蓋部２０とを組み合わせてキャップ装置１を構成したものであるが、これに限定するものではない。
【００４７】
例えば、図７に示すように、第１スリット１３２を有する口元部１０に、第２スリットを形成していない通常の外蓋部２０Ａを組み合わせたキャップ装置１Ａであっても、第１スリット１３２の溝深さを深くすることによって、容器３内のガス抜きと外気の導入を瞬時に行うことができる。
【００４８】
また、図８に示すように、第１スリットを有していない通常の口元部１０Ｂと第２スリット２２２を有する外蓋部２０とを組み合わせたキャップ装置１Ｂであっても、外蓋部２０に形成された第２スリット２２２から容器３内のガス抜きと外気の導入を瞬時に行うことができる。
【００４９】
従って、上述のように構成された実施形態のキャップ装置１は、次のような効果を得ることガできる。
【００５０】
第１に、外蓋部２０と螺合する口元部１０に、螺旋状の突条部１３１を分断するように、軸方向に沿って複数の第１スリット１３２を形成することから、口元部１０を僅かに開栓することによって、容器３内の炭酸ガスは第１スリット１３２を通ることができる。しかも、第１スリット１３２の下端が、閉栓した外蓋部２０の下端面２２３より下方に達するように形成することによって、外部への排気を瞬時に行うことができる。逆に、外気は第１スリット１３２の下端から第１スリット１３２を通って外蓋部２０の内部に導入することから、外蓋部２０の内部を乾燥させて、口元部１０の側壁部１３外周面に付着した水滴を瞬時に除去することができる。
【００５１】
しかも、口元部１０を成形する際、２枚型の抜き型をそれぞれ離隔することによって型抜きを行うことから、口元部１０の側壁部１３に形成する螺旋状の突条部１３１の高さを高くして外蓋部２０との締め付けをきつくしたり、第１スリット１３２の溝深さを深くして炭酸ガスや外気の通る量を増やしたりすることができる。
【００５２】
第２に、口元部１０と螺合する外蓋部２０の側壁部２２の円周方向に、軸方向に沿って複数の第２スリット２２２を形成することから、口元部１０を僅かに開栓することによって、容器３内の炭酸ガスは第２スリット２２２を通って、外部への排気を瞬時に行うことができる。逆に、外気は第２スリット２２２を通って外蓋部２０の内部に導入することから、外蓋部２０の内部を乾燥させて、口元部１０の側壁部１３外周面に付着した水滴を瞬時に除去することができる。
【００５３】
第３に、外蓋部２０に形成された第２スリット２２２が、外蓋部２０の側壁部２２を貫通していることによって、容器３内に充填された内容物（例えば、液体）が外部に漏れるかどうかの試験を行う場合、通常、５〜１０ｍｍ以内の範囲で１５ＫＶの電圧を掛けて液体の有無を検出することになるが、試験機を第２スリット２２２に向けて配置すれば、容易にしかも正確に放電リーク試験を行うことができる。
【図面の簡単な説明】
【００５４】
【図１】本発明の容器用キャップ装置における一形態の口元部を示す正面図である。
【図２】図１における口元部の第１スリットを示すII−II断面図である。
【図３】本発明の容器用キャップ装置における一形態の外蓋部を示す縦断面図である。
【図４】同正面図である。
【図５】同平面図である。
【図６】本発明の容器用キャップ装置を示す一部断面図である。
【図７】本発明の別の形態の容器用キャップ装置を示す一部断面図である。
【図８】本発明のさらに別の形態の容器用キャップ装置を示す一部断面図である。
【図９】従来の容器用キャップ装置を示す一部断面図である。
【図１０】従来の別の容器用キャップ装置を示す一部断面図である。
【符号の説明】
【００５５】
１、キャップ装置
３、容器
１０、口元部
１３、側壁部
１３１、突条部
１３２、第１スリット
２０、外蓋部
２２、側壁部
２２１、突条部
２２２、第２スリット
【図１】
2007030976.tif 000003
【図２】
2007030976.tif 000004
【図３】
2007030976.tif 000005
【図４】
2007030976.tif 000006
【図５】
2007030976.tif 000007
【図６】
2007030976.tif 000008
【図７】
2007030976.tif 000009
【図８】
2007030976.tif 000010
【図９】
2007030976.tif 000011
【図１０】
2007030976.tif 000012